(57)【要約】 【課題】施錠解錠装置やパネルに不要な力を作用させることなく、施錠機構の解錠及び扉体の開放をワンアクションで行うことを可能とする。【解決手段】全閉姿勢の扉体は、第１の位置にある左右のラッチ５が、左右のラッチ掛かり６に係止することで上動が規制された施錠状態にあり、操作部（スライダ８）は、パネル１の面部に対して平行に上下動可能に設けられており、左右のラッチ５が第１の位置にある時には下側位置にあり、下側位置にある操作部（スライダ８）をパネル１の面部に対して平行に上動させることで、ワイヤ７を介して左右のラッチ５が第１の位置から第２の位置に移動して施錠状態が解錠される。【選択図】図７
2020117984.tif 000002
【特許請求の範囲】
【請求項１】
複数枚のパネルを高さ方向に連結してなる扉体が全閉姿勢から上動することで開口部を開放するオーバーヘッドドアにおいて、
前記扉体の幅方向両端部に設けられ、第１の位置と第２の位置の間で移動可能であり、第１の位置をとるように付勢されている左右のラッチと、
開口部両端の所定高さ位置に設けられた左右のラッチ掛かりと、
前記扉体の幅方向中央部位に設けられ、連結要素によって前記左右のラッチに連結されている操作部と、
を備え、
全閉姿勢の扉体は、第１の位置にある前記左右のラッチが、前記左右のラッチ掛かりに係止することで上動が規制された施錠状態にあり、
前記操作部は、パネルの面部に対して平行に上下動可能に設けられており、前記左右のラッチが第１の位置にある時には下側位置にあり、
下側位置にある前記操作部をパネルの面部に対して平行に上動させることで、前記連結要素を介して前記左右のラッチが第１の位置から第２の位置に移動して施錠状態が解錠される、
オーバーヘッドドアの解錠装置。
【請求項２】
前記連結要素は、前記パネルの面部に沿って延びるワイヤであり、前記ワイヤは、一方のラッチと前記操作部との間で延びる第１部分と、他方のラッチと前記操作部の間で延びる第２部分と、を備え、
前記操作部の上動に連動して、前記第１部分、前記第２部分がパネルの幅方向中央部位に向かって引っ張られて前記左右のラッチが第１の位置から第２の位置に移動する、
請求項１に記載の解錠装置。
【請求項３】
前記ワイヤの前記第１部分と前記第２部分は、１本のワイヤの部分であり、前記第１部分の基端側、前記第２部分の基端側は前記１本のワイヤの長さ方向中間部位である、
請求項２に記載の解錠装置。
【請求項４】
前記操作部は、パネルの面部に対して平行に上下動可能なスライダからなり、
前記スライダの下端に取手が設けられ、前記スライダの上端に押し上げ部が設けられ、
前記押し上げ部の左右に位置して左右のガイドプーリが設けてあり、
前記ワイヤの前記第１部分の基端側、前記第２部分の基端側は、それぞれ、前記左右のガイドプーリの下側を通って前記押し上げ部に固定されており、
前記スライダの上動に伴う前記押し上げ部の上動によって、前記第１部分の基端側、前記第２部分の基端側がそれぞれ上方に押し上げられて、前記第１部分、前記第２部分がそれぞれ左右のガイドプーリに案内されながら引っ張られる、
請求項２、３いずれか１項に記載の解錠装置。
【請求項５】
前記操作部は、パネルの面部に対して平行に上下動可能なスライダからなり、
前記スライダの下端に取手が設けられ、前記スライダの上端に押し上げ部が設けられ、
前記押し上げ部の左右に位置して左右のガイドプーリが設けてあり、
前記ワイヤの前記第１部分の基端側、前記第２部分の基端側は、それぞれ、前記左右のガイドプーリの下側を通り、前記長さ方向中間部位が前記押し上げ部に接触しており、
前記スライダの上動に伴う前記押し上げ部の上動によって、前記長さ方向中間部位が上方に押し上げられて、前記第１部分、前記第２部分がそれぞれ左右のガイドプーリに案内されながら引っ張られる、
請求項３に記載の解錠装置。
【請求項６】
前記押し上げ部において、押し上げ時に前記ワイヤの前記第１部分、前記第２部分に接触する部分は湾曲面となっている、
請求項４、５いずれか１項に記載の解錠装置。
【発明の詳細な説明】
【技術分野】
【０００１】
本発明は、オーバーヘッドドアの解錠装置に関するものである。
【背景技術】
【０００２】
オーバーヘッドドアは、倉庫やガレージ等の建物の屋外と屋内とを連通する開口部に設置する建具として知られている。図１３に示すように、オーバーヘッドドアの扉体は、横長方形状の複数枚のパネル１´を、丁番２を介して上下方向に互いに回動可能に連結することで構成されており、各パネル１´の幅方向左右両端のガイドローラが開口部の幅方向左右に設けたガイドレール４に案内されながら上昇、下降することで開口部を開閉する。オーバーヘッドドアは、全閉姿勢の扉体の上動を規制する施錠装置を備えており、施錠装置は、前記扉体の幅方向両端部に設けられ、第１の位置と第２の位置の間で移動可能であり、第１の位置をとるように付勢されている左右のラッチと、開口部両端の所定高さ位置に設けられた左右のラッチ掛かりと、からなり、下降する扉体の下端が着床して全閉状態となった時に、左右のラッチが左右のラッチ掛かりに係止して、扉体の上動が規制される。図１４に示すように、前記扉体の幅方向中央部位には、ワイヤ７０´、７１´によって前記左右のラッチに連結されている解錠操作レバーＬが設けてあり、開口部を開放する際には、解錠操作レバーの回動操作によって、施錠状態を解除して、扉体を上昇させる。同様の施錠装置が特許文献１に開示されている。
【０００３】
特許文献１、図１３、図１４に開示された施錠装置において、施錠状態にある扉体を開放させる場合には、解錠操作レバーＬを掴んで回転して解錠操作を行った上で、ハンドルＨを持って扉体を上方に持ち上げる必要があった。解除姿勢まで回動させた解錠操作レバーＬを持って開放操作を行うとすると、扉体の荷重が解錠操作レバーＬを含む解錠操作部に作用するため、解錠操作部が破損するおそれがあることから、別途ハンドルＨが必要である。また、特許文献１に係る施錠装置は、パネルの室内外に面して操作部が設けてあるため、オーバーヘッドドアを冷蔵倉庫等の開口に設置した場合には、施錠装置を通して熱伝導が生じて内部に結露が発生するおそれがあった。
【０００４】
特許文献２に開示されたオーバーヘッドドアの施錠解錠装置は、握り部材を握って上下回動レバーをほぼ水平方向まで回動させることで、オーバーヘッドドアの解錠及び引き上げ、また引き下げ及び施錠両動作を上下回動レバーの上下操作のみで可能とするものである。しかしながら、上下回動レバーの回動時に、テコの作用により施錠解錠装置の取付部位に負荷がかかって取付ネジが外れたり、パネル表面に不要な力が作用して凹凸が生じてしまうおそれがある。
【特許文献１】特開平６−３３０６８０
【特許文献２】実用新案登録第３１７４８０２号
【発明の開示】
【発明が解決しようとする課題】
【０００５】
本発明は、施錠解錠装置やパネルに不要な力を作用させることなく、施錠機構の解錠及び扉体の開放をワンアクションで行うことを可能とするオーバーヘッドドアの解錠装置を提供することを目的とするものである。
【課題を解決するための手段】
【０００６】
本発明が採用した技術手段は、
複数枚のパネルを高さ方向に連結してなる扉体が全閉姿勢から上動することで開口部を開放するオーバーヘッドドアにおいて、
前記扉体の幅方向両端部に設けられ、第１の位置と第２の位置の間で移動可能であり、第１の位置をとるように付勢されている左右のラッチと、
開口部両端の所定高さ位置に設けられた左右のラッチ掛かりと、
前記扉体の幅方向中央部位に設けられ、連結要素によって前記左右のラッチに連結されている操作部と、
を備え、
全閉姿勢の扉体は、第１の位置にある前記左右のラッチが、前記左右のラッチ掛かりに係止することで上動が規制された施錠状態にあり、
前記操作部は、パネルの面部に対して平行に上下動可能に設けられており、前記左右のラッチが第１の位置にある時には下側位置にあり、
下側位置にある前記操作部をパネルの面部に対して平行に上動させることで、前記連結要素を介して前記左右のラッチが第１の位置から第２の位置に移動して施錠状態が解錠される、
オーバーヘッドドアの解錠装置、である。
【０００７】
１つの態様では、前記解錠装置は、前記操作部が上側位置まで上動した時に、前記操作部が当接する被当接部が設けてあり、前記操作部をパネルの面部に対して平行に上動させる力が、前記被当接部を介して扉体の開放方向の力として作用する。
後述する実施形態では、操作部（スライダ８）が上側位置まで上動した時に、操作部（スライダ８の第１側辺８１、第２側辺８２のガイド開口８１０、８２０の下端縁８１０１、８２０１）が被当接部（ガイドプレート９７の下端９７１）に当接する。
【０００８】
１つの態様では、前記連結要素は、前記パネルの面部に沿って延びるワイヤであり、前記ワイヤは、一方のラッチと前記操作部との間で延びる第１部分と、他方のラッチと前記操作部の間で延びる第２部分と、を備え、
前記操作部の上動に連動して、前記第１部分、前記第２部分がパネルの幅方向中央部位に向かって引っ張られて前記左右のラッチが第１の位置から第２の位置に移動する。
【０００９】
１つの態様では、前記ワイヤの前記第１部分と前記第２部分は、１本のワイヤの部分であり、前記第１部分の基端側、前記第２部分の基端側は前記１本のワイヤの長さ方向中間部位である。
【００１０】
１つの態様では、前記操作部は、パネルの面部に対して平行に上下動可能なスライダからなり、
前記スライダの下端に取手が設けられ、前記スライダの上端に押し上げ部が設けられ、
前記押し上げ部の左右に位置して左右のガイドプーリが設けてあり、
前記ワイヤの前記第１部分の基端側、前記第２部分の基端側は、それぞれ、前記左右のガイドプーリの下側を通って前記押し上げ部に固定されており、
前記スライダの上動に伴う前記押し上げ部の上動によって、前記第１部分の基端側、前記第２部分の基端側がそれぞれ上方に押し上げられて、前記第１部分、前記第２部分がそれぞれ左右のガイドプーリに案内されながら引っ張られる。
【００１１】
１つの態様では、前記操作部は、パネルの面部に対して平行に上下動可能なスライダからなり、
前記スライダの下端に取手が設けられ、前記スライダの上端に押し上げ部が設けられ、
前記押し上げ部の左右に位置して左右のガイドプーリが設けてあり、
前記ワイヤの前記第１部分の基端側、前記第２部分の基端側は、それぞれ、前記左右のガイドプーリの下側を通り、前記長さ方向中間部位が前記押し上げ部に接触しており（前記押し上げ部に固定されていても、固定されていなくてもよい）、
前記スライダの上動に伴う前記押し上げ部の上動によって、前記長さ方向中間部位が上方に押し上げられて、前記第１部分、前記第２部分がそれぞれ左右のガイドプーリに案内されながら引っ張られる。
【００１２】
１つの態様では、前記押し上げ部において、押し上げ時に前記ワイヤの前記第１部分、前記第２部分に接触する部分は湾曲面となっている。
【発明の効果】
【００１３】
本発明では、操作部の上動というワンアクションでオーバーヘッドドアの解錠、扉体の開放操作を行うことができ、一連の動作でスムーズに開口部を開放することができる。
操作部を上動させる力のベクトルは、扉体を開放（上昇）させる力のベクトルと一致しているので、操作部を上動させる力は、そのまま扉体の開放力として作用し、パネルや解錠装置に不要な力が作用することがない。
解錠操作を行う操作部は、扉体の開放操作の操作部として機能するので、パネルに別途取手を設ける必要がない。
操作部の上動は、操作部を掴まなくても可能であり、例えば、冷蔵倉庫内で厚手のグローブをはめたままであっても、施錠機構の解錠、扉体の開放を容易に行うことができる。
【図面の簡単な説明】
【００１４】
【図１】全閉姿勢にあるオーバーヘッドドアを室内側から見た正面図である。
【図２】全閉姿勢にあるオーバーヘッドドアの側面図である。
【図３】全閉姿勢にあるオーバーヘッドドアの最下位のパネルの幅方向端部の横断面図である。
【図４】施解錠装置が設けられたパネルを室内側から見た正面図である。
【図５】施解錠装置が設けられたパネルの幅方向端部の横断面図である。
【図６】施解錠装置が設けられたパネルの幅方向端部を室内側から見た正面図である。
【図７】解錠装置が設けられたパネルの縦断面図である。
【図８】解錠装置を示す図であり、（Ａ）は平面図、（Ｂ）は側面図、（Ｃ）は正面図である。図８において、スライダは下側位置にあり、ラッチは第１の位置（施錠姿勢）にある。
【図９】解錠装置を示す正面図であり、スライダは上側位置にあり、ラッチは第２の位置（解錠姿勢）にある。
【図１０】スライダを示す図であり、（Ａ）は平面図、（Ｂ）は側面図、（Ｃ）は正面図である。
【図１１】ベースを示す図であり、（Ａ）は平面図、（Ｂ）は側面図、（Ｃ）は正面図である。
【図１２】（Ａ）はガイド装着片を示し、（Ｂ）はガイドプレートを示す。
【図１３】全閉姿勢にあるオーバーヘッドドア（従来の解錠装置を備えている）を室内側から見た正面図である。
【図１４】従来の解錠装置を備えたパネルの部分拡大図である。
【発明を実施するための形態】
【００１５】
［Ａ］オーバーヘッドドアの全体構成
図１は、全閉姿勢にあるオーバーヘッドドアを室内側から見た正面図であり、図２はオーバーヘッドドアの側面図である。オーバーヘッドドアの扉体は、横長方形状の複数枚のパネル１を、丁番２を介して上下方向に互いに回動可能に連結することで構成されている。各パネル１の幅方向左右両端にはガイドローラ３を回転自在に支持するローラブラケット３´が設けてあり、扉体は、各パネル１の幅方向左右両端のガイドローラ３が開口部の幅方向左右に設けたガイドレール４に案内されながら上昇、下降することで開口部を開閉する。本実施形態に係るオーバーヘッドドアは、限定されないものの、冷蔵倉庫の開口部に設置される。
【００１６】
図２に示すように、ガイドレール４は、開口部の高さ方向に延びる第１部位４０と、第１部位４０の上方から室内側に向かって後方に延びる湾曲状の第２部位４１と、第２部位４１の後方から天井ＣＬに沿って後方に延びる第３部位４２と、からなる。第１部位４０は、下方から上方に向かって室内側へ緩やかに傾斜している。第３部位４２は、室内側に向かって上方に緩やかに傾斜している。
【００１７】
扉体の下端が床面ＦＬに着床する開口部全閉状態では、各パネル１（最上位のパネル１を除く）はガイドレール４の第１部位４０に位置することで複数枚のパネル１がほぼ垂直姿勢となって開口部を閉鎖する。開口部全開状態では、各パネル１がほぼ垂直姿勢から第３部位４２に位置するほぼ水平姿勢まで移動して（最下位のパネル１は第２部位４１に位置する）、扉体が室内側空間の天井ＣＬに沿って横方向に延びた姿勢となって開口部を開放する。
【００１８】
ガイドレール４（第１部位４０）は、開口部のほぼ全高に亘って垂直状に延びる支持枠４００及び支持プレート４０１を介して、開口部左右の躯体２０から持ち出し状に支持されている（図３、図５参照）。支持枠４００は、第１辺４０００と第２辺４００１とから断面視Ｌ形状を備えた長尺部材であり、第１辺４０００を躯体２０に重ねるようにして螺子２１によって躯体２０に連結されている。第１辺４０００が躯体２０に連結された状態において、第２辺４００１は、室内側に向かって躯体２０に対して垂直状に延びている。第２辺４００１の外面には、支持プレート４０１が面接触して連結されており、支持プレート４０１の室内側部位は、第２辺４００１の端部を超えて室内側に延びる延出部位となっており、延出部位の内面にガイドレール４が連結されている。なお、本実施形態ででは、支持枠４００と支持プレート４０１を別個の部材から構成したが、これらを一体形成してもよい。
【００１９】
図３、図４、図５に示すように、パネル１は、室内側面部１０と、室外側面部１１と、幅方向左右の側面１２を備えており、パネル１の幅方向両端部には縦框１２´が設けてある。縦框１２´は、パネル１の室内側面部１０に密着する第１見付辺１２０と、パネル１の室外側面部１１に密着する第２見付辺１２１と、見込辺１２２と、から断面視ほぼコ字状に形成されており、見込辺１２２がパネル１の側面１２となっている。パネル１は、凸状の上框１３、凹状の下框１４を備えており、開口部全閉状態では、上側に位置するパネル１の凹状の下框１４に下側に位置するパネル１の凸状の上框１３が嵌合するようになっている。
【００２０】
図３に示すように、パネル１の室外側面部１１の幅方向両端部（すなわち、縦框１２´の第２辺１２１）は、隙間を存して躯体２０に離間対向している。躯体２０には、フィン状のシール材２２、中空状のシール材２３が設けられており、扉体が開口部全閉状態にある時に、パネル１の室外側面部１１の幅方向端部と躯体２０との間に形成された隙間を塞ぐようになっている。
【００２１】
本実施形態に係るオーバーヘッドドアは手動式である。開口部の上方には、バランススプリング１５を備えた回転軸１６が配設されており、回転軸１６の両端部に軸支したドラム１７に一端をそれぞれ固定した吊持ワイヤ１８（図２参照）の他端は、最下位のパネル１の左右両端のワイヤ固定部１９（図３参照）にそれぞれ接続されており、バランススプリング１５の巻き上げ方向の付勢力により吊持ワイヤ１８を巻き取ることで、全閉姿勢にある扉体を上動させて開口部を開放する。最下位のパネル１の室内側面部１０の幅方向両端部位には、吊持ワイヤ１８が切断したような緊急時にパネル１の落下を防止する落下防止装置２４が設けてあり、落下防止装置２４は、カバー２４´によって覆われている。
【００２２】
［Ｂ］オーバーヘッドドアの施錠機構
本実施形態では、オーバーヘッドドアの扉体の下から２番目のパネル１の幅方向左右両端には左右のラッチ５が設けてあり、左右のガイドレール４には、開口部全閉時の左右のラッチ５の高さに対応するように所定高さに位置して、ガイドレール４から室内側に突出するラッチ掛かり６が設けてある。左右のラッチ５と左右のラッチ掛かり５から施錠機構が形成されており、扉体が全閉姿勢となった時に、左右のラッチ５が左右のラッチ掛かり６に係止することで、全閉姿勢にある扉体の上動が規制され、オーバーヘッドドアが施錠状態となる。
【００２３】
図５、図６に示すように、本実施形態に係るラッチ５は、パネル１の室内側面部１０の幅方向端部に固定したベースプレート５０に対して立ち上がり状に対向して設けた上下一対の回動アーム５１と、一対の回動アーム５１の先端に一体形成され、回動アーム５１の先端から外側（パネル１の幅方向中央から離間する側）に傾斜状に延びる係止部５２と、を備えている。一対の回動アーム５１は、パネル１の室内側面部１０から水平状に突出しており、垂直状に延びる回動軸５１０を中心として、左右に回動可能となっており、係止部５２がパネル１の側面１２から突出する第１の位置（施錠姿勢）と、係止部５２（図示の態様では、ほぼ大部分）がパネル１の側面１２よりもパネル幅方向中央側に位置する第２の位置（解錠姿勢）と、をとるようになっている。図５において、第２の位置を、ラッチ５´、回動アーム５１´、係止部５２´で示している。
【００２４】
回動アーム５１は、回動アーム５１を外側（パネル１の幅方向中央から離間する側）に回動するように付勢する手段としてのスプリング５３（回動軸５１０に外装されている）を備えている。ラッチ５（回動アーム５１及び係止部５２）が第１の位置にある時には、回動アーム５１が回動軸５１０を中心に外側（パネル１の幅方向中央から離間する側）に回動し、係止部５２がパネル１の幅方向端面１２から突出しており、スプリング５３によって、第１の位置が保持されている。
【００２５】
ラッチ掛かり６は、左右のガイドレール４の第１部分４０の所定高さに位置して設けてあり、ラッチ掛かり６は、ガイドレール４の第１部分４０から室内側に突出する被係止部６０を備えている。ラッチ掛かり６の被係止部６０には、傾斜状のガイド面が形成されており、降下中の扉体が全閉状態になる寸前に、回動アーム５１を第２の位置側に少し回動させながら係止部５２がガイド面を乗り越えて下降し、開口部全閉状態となった時に係止部５２の上端がラッチ掛かり６の被係止部６０の下端に下方から当接ないし近接して施錠状態となるように構成されている。図５に示すように、ラッチ５´（回動アーム５１´及び係止部５２´）が第２の位置にある時には、回動アーム５１´が回動軸５１０を中心に内側（パネル１の幅方向中央側）に回動し、ラッチ５の係止部５２´とラッチ掛かり６の被係止部６０の係止状態が解除される。なお、ラッチ５とラッチ掛かり６からなる施錠機構の具体的な形状や構成は、図示の態様に限定されるものではない。
【００２６】
［Ｃ］オーバーヘッドドアの解錠装置
オーバーヘッドドアは、扉体の施錠機構の施錠状態を解錠する解錠装置を備えている。幅方向両端部に左右のラッチ５を備えたパネル１の室内側面部１０の幅方向中央部位には、解錠装置の操作部が設けてあり、左右のラッチ５と操作部は連結要素としてのワイヤ７によって連結されている。操作部の解錠操作によってワイヤ７を介して施錠状態を解錠する。本明細書において、「パネル１の室内側面部１０の幅方向中央部位」とは、幅寸法の１／２の地点に限定されるものではなく、操作部による解錠操作の操作性に実質的な影響を与えない範囲で、幅寸法の１／２の地点から左右方向（パネル１の幅方向）にずれた部位も含む。なお、連結要素は、ワイヤ７に限定されるものではなく、連結杆等を用いてラッチ５と操作部を連結するものでもよい。本実施形態に係るオーバーヘッドドアの解錠装置は、パネル１の室外側面部１１には設けておらず、解錠装置を介してパネル１の室内外で熱伝導が生じることがなく、オーバーヘッドドアを冷蔵倉庫の開口部に設置した場合において、解錠装置内部に結露が発生することがない。
【００２７】
本実施形態に係る操作部は、パネル１の室内側面部１０に対して平行に上下動可能に設けられたスライダ８であり、スライダ８は、左右のラッチ５が第１の位置（施錠姿勢）にある時には下側位置にあり、下側位置にあるスライダ８をパネル１の室内側面部１０に対して平行に上動させることで、ワイヤ７を介して左右のラッチ５を第１の位置（施錠姿勢）から第２の位置（解錠姿勢）に移動させて施錠状態を解錠する。
【００２８】
図１０に示すように、スライダ８は、上面８０と、上面８０の左右端部から垂下する第１側辺８１、第２側辺８２と、第１側辺８１と第２側辺８２の下端間に設けた取手８３と、から、正面視略方形状を備えている。本実施形態では、取手８３は円筒状ないし円柱状であるが、取手８３の形状（断面形状等）は限定されない。スライダ８の上面８０は、パネル１の幅方向に延びており、スライダ８の上面８０の幅方向中央部位には、スライダ８の上動に伴ってワイヤ７の第１部分７０の基端側、第２部分７１の基端側を押し上げる押し上げ部８４が設けてある。
【００２９】
押し上げ部８４は、上面部８４０と、上面部８４０の左右方向の一側から下向き湾曲状に延びる弧状の第１湾曲面８４１と、上面部８４０の左右方向の他端から下向き湾曲状に延びる弧状の第２湾曲面８４２と、上面部８４０から前方（パネル１の室内側面部１０から離間する側、すなわち室内側）に水平に延びる連結片８４３と、を備えている。押し上げ部８４は、連結片８４３をスライダ８の上面８０の幅方向中央部位に上方から重ねて螺子８４３０で固定されている。本実施形態では、押し上げ部８４は上面８０と別体で形成して螺子８４３０で一体化されているが、押し上げ部８４と上面８０を一部材から一体形成してもよい。
【００３０】
スライダ８の上面８０の幅方向中央部位には舌状の連結片８００が、パネル１の室内側面部１０に向かって水平に突成されており、連結片８００は押し上げ部８４の上面部８４０の下面に当接している。押し上げ部８４の上面部８４０には、押えプレート８４４が螺子８４４０によって固定されており、螺子８４４０は、上面部８４０に下側から当接する連結片８００に螺着される。
【００３１】
本実施形態に係るワイヤ７は、開口部の略全幅に亘って延びており、長さ方向中央部位において、押し上げ部８４の上面部８４０に固定されている。本実施形態では、押えプレート８４４と上面８４０との間にワイヤ７の長さ方向中央部位を挟み込んだ状態で、押えプレート８４４を螺子８４４０で上面部８４０、連結片８００に固定することで、ワイヤ７を押し上げ部８４の上面部８４０に密着させて固定している。パネル１の幅方向に延びるワイヤ７は、長さ方向左右の先端が連結されたラッチ５のスプリング５３によって引張されて水平状に延びている。
【００３２】
本実施形態に係るワイヤ７は、長さ方向の中央の固定部位（上面部８４０に固定された部位）を挟んで一方の第１部分７０と、他方の第２部分７１と、からなる。すなわち、ワイヤ７の長さ方向の中央の固定部位が、ワイヤ７の第１部分７０の基端側、第２部分７１の基端側となっており、ワイヤ７の第１部分７０の基端側、第２部分７１の基端側が押し上げ部８４の上面部８４０に固定されていることになる。本実施形態では、第１部分７０及び第２部分７１を１本のワイヤ７から形成したが、第１部分７０、第２部分７１をそれぞれ独立したワイヤから形成してもよい。
【００３３】
ワイヤ７の第１部分７０の先端には一方のラッチ５が連結されており、ワイヤ７の第２部分７１の先端には他方のラッチ５が連結されている。より具体的には、ワイヤ７の第１部分７０の先端は、一方のラッチ５の上側の回動アーム５１の先端側に連結フック５４を介して連結されており、ワイヤ７の第２部分７１の先端は、他方のラッチ５の上側の回動アーム５１の先端側に連結フック５４を介して連結されている。押し上げ部８４によって、ワイヤ７の第１部分７０の基端側、第２部分７１の基端側をそれぞれ押し上げることによって、ワイヤ７の第１部分７０の先端側、第２部分７１の先端側をパネル１の幅方向中央に引っ張り、第１の位置にあるラッチ５を第２の位置に移動させるようになっている。
【００３４】
本実施形態では、１本のワイヤ７の長さ方向の中央部位を押し上げ部８４の上面部８４０に固定しているが、１本のワイヤ７の長さ方向の中央部位を、固定せずに、押し上げ部８４の上面部８４０に外れないように接触させたものでもよい。例えば、１本のワイヤ７の長さ方向の中央部位を押し上げ部８４の上面部８４０に設けた挿通孔に挿通させておき、スライダ８の上動によって押し上げ部８４が１本のワイヤ７の長さ方向の中央部位を上方に押し上げるようにしてもよい。第１部分７０と第２部分７１の長さは実質的に同じであり、左右のラッチ５のスプリング５３の付勢力は実質的に同じなので、１本のワイヤ７の長さ方向の中央部位が固定されていなくても、押し上げ部８４の上動によって、第１部分７０、第２部分７１が均等にパネル１の幅方向中央側に引っ張られる。
【００３５】
本実施形態に係るスライダ８は、パネル１の室内側面部１０の幅方向中央部位に固定されたベース９に対して垂直方向に上下動可能に支持されており、下側位置と上側位置をとるようになっている。スライダ８が下側位置にある時にはラッチ５は第１の位置（施錠姿勢）にあり、スライダ８が上側位置にある時にはラッチ５は第２の位置（解錠姿勢）にある。スライダ８がベース９に組み込まれた状態を図８、図９に示しており、図８ではスライダ８が下側位置にあり、図９ではスライダ８が上側位置にある。
【００３６】
図１１に示すように、ベース９は、パネル１の室内側面部１０に固定される垂直面９０と、垂直面９０の幅方向左右両端から垂直面９０（パネル１の室内側面部１０）に対して垂直に延びる左右の第１側面９１、第２側面９２と、を備え、垂直面９０の上方部位には、パネル１の幅方向に離間して左右の第１ガイドプーリ９３、第２ガイドプーリ９４が設けてある。図７に示すように、パネル１の室内側面部１０において、ベース９の垂直面９０が固定される部位には、表面材の内側に位置して補強プレート１００が設けてある。第１ガイドプーリ９３は、垂直面９０に固定した支持ブラケット９３０によって、垂直面９０から持ち出した位置で回転自在に支持されており、第２ガイドプーリ９４は、垂直面９０に固定した支持ブラケット９４０によって、垂直面９０から持ち出した位置で回転自在に支持されている。
【００３７】
第１ガイドプーリ９３は、ワイヤ７の第１部分７０を案内し、第２ガイドプーリ９４は、ワイヤ７の第２部分７１を案内する。ベース９の第１側面９１、第２側面９２には、第１ガイドプーリ９３、第２ガイドプーリ９４の下端の高さ位置に対応して、ワイヤ７の挿通孔９１０、９２０が形成されており、ワイヤ７の第１部分７０が挿通孔９１０、第１ガイドプーリ９３の下側を通って水平状に延びており、ワイヤ７の第２部分７１が挿通孔９２０、第２ガイドプーリ９４の下側を通って水平状に延びている。
【００３８】
ベース９の第１側面９１、第２側面９２の先端には、折り曲げ片９１２が形成されている。第１側面９１、第２側面９２の上端には、折り曲げ片９１３が形成されている。ベース９の垂直面９０の下端には水平状に延びる底面９５が形成されており、底面９５の先端は、ガイドプーリ９３、９４の下方に位置しており、底面９５の先端には幅方向両側に位置して、立ち上がり片９５０が形成されている。ベース９の第１側面９１、第２側面９２の先端の折り曲げ片９１２と、底面９５の先端の立ち上がり片９５０との間の空間にスライダ８の第１側辺８１、第２側辺８２が上下動可能に受け入れられている。ベース９の前面は開放状となっており、スライダ８を受け入れた状態で、カバー９６（図４参照）が装着されている。
【００３９】
ベース９の第１側面９１、第２側面９２の内面には、ガイド装着片９６を用いて、ガイドプレート９７が固定されている。ガイド装着片９６は、垂直部９６０と、垂直部９６０の上端の折り曲げ部９６１と、垂直部９６０の下端の折り曲げ部９６２と、からコ字形状を有している。ガイド装着片９６の垂直部９６０の上下の角部は、湾曲面となっている。垂直部９６０にはガイドプレート９７の取付用の螺子９８の螺子孔９６３が形成されている。
【００４０】
ガイドプレート９７は、上端９７０、下端９７１、側縁９７２、９７３から縦長方形状となっており、面部には螺子９８の挿通孔９７４が形成されている。ベース９の第１側面９１、第２側面９２には螺子９８の挿通孔９１１（第２側面９２の挿通孔は図示せず）が形成されている。ベース９の第１側面９１、第２側面９２の内面の所定高さ位置に、螺子９８を用いて、ガイド装着片９６、ガイドプレート９７が固定されている。
【００４１】
図１０に示すように、スライダ８の第１側辺８１、第２側辺８２には、ガイドプレート９７を受け入れる縦長方形状のガイド開口８１０、８２０が形成されている。ガイド開口８１０、８２０の高さ寸法は、ガイドプレート９７の高さ寸法よりも大きく、幅寸法は、ガイドプレート９７の幅寸法よりも僅かに大きくなっている（ガイドプレート９７に対する第１側辺８１、第２側辺８２のスライドを許容する程度に密接している）。スライダ８の第１側辺８１、第２側辺８２のガイド開口８１０、８２０内に、ベース９に固定したガイドプレート９７が相対的にスライド可能に受け入れられており、高さ位置が固定されたガイドプレート９７に対して、スライダ８の第１側辺８１、第２側辺８２が上下にスライド移動するようになっている。なお、スライダ８のスライド機構は、ガイド開口８１０、８２０、ガイドプレート９７を用いたものに限定されるものではなく、他の構成を採り得る。
【００４２】
スライダ８が下側位置にある時には、ガイドプレート９７の上端９７０に、第１側辺８１、第２側辺８２のガイド開口８１０、８２０の上端縁８１００、８２００が当接する。スライダ８が上側位置にある時には、ガイドプレート９７の下端９７１に、第１側辺８１、第２側辺８２のガイド開口８１０、８２０の下端縁８１０１、８２０１が当接する。上側位置にあるスライダ８に上向きの力を作用させると、第１側辺８１、第２側辺８２のガイド開口８１０、８２０の下端縁８１０１、８２０１がガイドプレート９７の下端９７１に当接してガイドプレート９７を押し上げる力として作用し、ガイドプレート９７が固定されているベース９、ベース９が固定されているパネル１を上昇させる力として作用する。１つの態様では、スライダ８が上側位置まで上動する前に、第１の位置（施錠姿勢）にあるラッチ５は、第２の位置（解錠姿勢）となる。また、スライダ８が上側位置まで上動する前に、吊持ワイヤ１８を介したバランススプリング１５の巻き上げ方向の付勢力によって、パネル１の上昇が開始されてもよい。
【００４３】
スライダ８の第１側辺８１、第２側辺８２の内面は、ベース９に固定されたガイド装着片９６の垂直面９６０に僅かな隙間を存して近接している。ガイド装着片９７の上下端の角部（特に下端の角部）を湾曲面としたことで、スライダ８が上下動する際に、第１側辺８１、第２側辺８２が角部に接触することがなく、スムーズな上下スライドを可能としている。
【００４４】
スライダ８が下側位置にある時には、第１側辺８１、第２側辺８２のガイド開口８１０、８２０の上端縁８１００、８２００（図１０参照）がガイドプレート９７の上端９７０（図１２（Ｂ）参照）に当接している。図８に示すように、スライダ８が下側位置にある時には、第１ガイドプーリ９３の下端、第２ガイドプーリ９４の下端と押し上げ部８４の上面部８４０は、略同じ高さ位置にあり、第１ワイヤ７０、第２ワイヤ７１は、第１ガイドプーリ９３の下側、第２ガイドプーリ９４の下側を通って、実質的に水平状に延びている。左側の第１ガイドプーリ９３の右側端は、押し上げ部８４の上面部８４０の左側の第１湾曲面８４１の左側端よりも僅かに左側に位置しており、右側の第２ガイドプーリ９４の左側端は、押し上げ部８４の上面部８４０の右側の第２湾曲面８４２の右側端よりも僅かに右側に位置している。
【００４５】
左右のラッチ５が第１の位置にある時には、スライダ８は下側位置にあり、ワイヤ７の第１部分７０、第２部分７１は、それぞれパネル１の幅方向に水平に延びている（図４参照）。この状態から、下側位置にあるスライダ８を上方に押し上げると、スライダ８は、第１側辺８１、第２側辺８２に形成したガイド開口８１０、８２０を介してガイドプレート９７に案内されながら上動する。スライダ８の上動に伴い、スライダ８の押し上げ部８４がワイヤ７の長さ方向の中央部位（第１部分７０の基端側、第２部分７１の基端側）を押し上げ、この時、第１部分７０、第２部分７１がパネル１の幅方向中央側（図９の矢印方向）に引っ張られる。ワイヤ７の第１部分７０の基端側、第２部分７１の基端側がパネル１の幅方向中央側に引っ張られると、第１部分７０及び第２部分７１の先端に連結された左右のラッチ５が第１の位置（施錠姿勢）から第２の位置（解錠姿勢）へ回動し、施錠状態にあるラッチ５が解錠される。
【００４６】
下側位置にあるスライダ８を上方に押し上げると、スライダ８は、第１側辺８１、第２側辺８２のガイド開口８１０、８２０の下端縁８１０１、８２０１（図１０参照）がガイドプレート９７の下端９７１（図１２（Ｂ）参照）に当接する上側位置まで上昇する。上側位置にあるスライダ８を上方に押し上げる力は、扉体の開放方向の力として作用するため、下側位置にあるスライダ８を上方に押し上げると、施錠機構が解錠され、スライダ８が上側位置に移動した後は、スライダ８を上動させる力によって扉体が上昇して、開口部が開放される。扉体を上昇させた後にスライダ８から手を離すと、上側位置にあるスライダ８は、左右のラッチ５のスプリング５３の付勢力によるワイヤ７の引張力及び自重で下動して下側位置となり、左右のラッチ５は第２の位置から第１の位置に復帰する。
【００４７】
図９に示すように、スライダ８が上側位置にある時には、第１ガイドプーリ９３の下端、第２ガイドプーリ９４の下端と押し上げ部８４の第１湾曲面８４１、第２湾曲面８４２の下端がほぼ同じ高さ位置にあり、押し上げ部８４の上面部８４０は、第１ガイドプーリ９３の上端、第２ガイドプーリ９４の上端よりも僅かに上方の位置にあり、ワイヤ７の第１部分７０の基端側は、第１ガイドプーリ９３の下端から押し上げ部８４の上面部８４０の第１湾曲面８４１に沿って延びており、ワイヤ７の第２部分７１の基端側は、第２ガイドプーリ９４の下端から押し上げ部８４の上面部８４０の第２湾曲面８４２に沿って延びている。すなわち、スライダ８の上動に伴い、スライダ８の押し上げ部８４の第１湾曲面８４１が第１部分７０の基端側に当接して押し上げ、押し上げ部８４の第２湾曲面８４２が第２部分７１の基端側に当接して押し上げるようになっているので、施錠機構の解錠が繰り返し実行された時に、ワイヤ７のダメージを可及的に防止しワイヤ７の耐久性を向上させている。なお、スライダ８が下側位置にある時、上側位置にある時における、各要素の位置関係（例えば、第１ガイドプーリ９３、第２ガイドプーリ９４と押し上げ部８４との位置関係）は、図示の態様に限定されるものではない。
【００４８】
本実施形態では、スライダ８の上動というワンアクションでオーバーヘッドドアの解錠、扉体の開放操作を行うことができ、一連の動作でスムーズに開口部を開放することができる。スライダ８は、パネルの室内側面部１０に対して平行に上動するので、スライダ８を上動させる力のベクトルは、扉体を開放（上昇）させる力のベクトルと一致しており、スライダ８を上動させる力は、そのまま扉体の開放力として作用し、パネル１や解錠装置に不要な力が作用することがない。また、解錠操作を行うスライダ８は、扉体の開放操作の取手として機能するので、パネル１に別途取手を設ける必要がない。
【００４９】
スライダ８を上動させる時には、取手８３に下側から手を添えて上動させればよいので、必ずしも取手８３を掴む必要がなく、例えば、冷蔵倉庫内での作業に用いる厚手のグローブをはめた状態であっても、容易にスライダ８を上動させて施錠機構を解錠し、そのまま、一連の動作で扉体を上昇させて開口部を開放することができる。
【符号の説明】
【００５０】
１  パネル
１０  室内側面部
４  ガイドレール
５  ラッチ
６  ラッチ掛かり
７  ワイヤ
７０  第１部分
７１  第２部分
８  スライダ
８１  第１側辺
８１０  ガイド開口
８２  第２側辺
８２０  ガイド開口
８４  押し上げ部
８４１  第１湾曲面
８４２  第２湾曲面
９  ベース
９３  ガイドプーリ
９４  ガイドプーリ
９７  ガイドプレート
【図１】
2020117984.tif 000003
【図２】
2020117984.tif 000004
【図３】
2020117984.tif 000005
【図４】
2020117984.tif 000006
【図５】
2020117984.tif 000007
【図６】
2020117984.tif 000008
【図７】
2020117984.tif 000009
【図８】
2020117984.tif 000010
【図９】
2020117984.tif 000011
【図１０】
2020117984.tif 000012
【図１１】
2020117984.tif 000013
【図１２】
2020117984.tif 000014
【図１３】
2020117984.tif 000015
【図１４】
2020117984.tif 000016